(57)【要約】      （修正有）【課題】自己注射器を簡単に固定することが可能な注射器用補助具を提供する。【解決手段】注射器用補助具１は、自己注射器を装着可能な筒体１０と、筒体１０の下面を塞ぎ、外周面が下方に向かって拡径する台座部１１と、台座部１１の中央に設けられ、自己注射器の針が挿通可能である穴と、筒体１０の上端から下方に向かって開口された二本のスリット（右側のスリット１３ａ、左側のスリット１３ｂ）により形成されている舌部１３と、舌部１３の上端の背面から円筒１０の内部に向かって設けられ、自己注射器を筒体１０に装着した際に当該自己注射器の薬液表示部に引っ掛かる突起部１４と、を有する。【選択図】図１
0003230183.tif 000002
【実用新案登録請求の範囲】
【請求項１】
自己注射器を装着可能な筒体と、
前記筒体の下面を塞ぎ、外周面が下方に向かって拡径する台座部と、
前記台座部の中央に設けられ、前記自己注射器の針が挿通可能な穴と、
前記筒体の上端から下方に向かって開口された二本のスリットにより形成された舌部と、
前記舌部の背面から前記円筒の内部に向かって設けられ、前記自己注射器を前記筒体に装着した際に当該自己注射器の薬液表示部に引っ掛かる突起部と、
を備える注射器用補助具。
【考案の詳細な説明】
【技術分野】
【０００１】
本考案は、オートインジェクタ、ペン型注射器等の自己注射器に対する補助具に関する。
【背景技術】
【０００２】
糖尿病患者のインスリン製剤、リュウマチ治療薬は、通常、オートインジェクタ、ペン型注射器と呼ばれる使い捨ての自己注射器であり、患者に渡され、患者がそれで自己注射するのが一般的である。
【０００３】
ここで、自己注射器の注射針は、通常、微小であるため、糖尿病患者は、視力の低下等により誤穿刺を行い易いという課題がある。又、自己注射の場合、患者が注射後の注射針を露出したまま廃棄する場合があり、廃棄後の注射針の誤穿刺は、感染症のリスク等を生じさせるという課題がある。
【０００４】
このような課題を解決するために、例えば、特開２０１７−８６６３０号公報（特許文献１）には、注射針のケースを保持する第１の孔部が形成された筒状の挟持部と、この挟持部よりも外法寸法が大きく形成されるとともに第１の孔部に連通してケースが通過可能な内法寸法を有する第２の孔部が形成された筒状の基台部とが弾性を有する樹脂素材によって一体成形されてなる注射針着脱用補助具が開示されている。この補助具では、挟持部の第１の孔部は、ケースの外径よりも大径の長軸とケースの外径よりも小径の短軸を有する長円形または楕円形に形成されることにより、弾性によって短軸方向においてケースを挟持可能に形成され、かつ長軸方向に作用する圧縮力に対して短軸方向に拡径してケースの挟持を解放可能に形成されている。これにより、簡易な構造で携帯性に優れるとともに、誤穿刺を防止して安全かつ確実に注射針の着脱および廃棄を行うことができるとしている。
【０００５】
又、実用新案登録第３１４３３０２号公報（特許文献２）には、注射器を挟み込んで固定するための装置本体と、装置本体に対して開閉可能であり、かつ、装置本体に対して注射器セット位置と注射可能位置との間を軸方向にスライド移動可能となっている本体カバーとを備えた自己注射器補助具が開示されている。この補助具では、本体カバーが閉じられると、針キャップ後端係合片がシリンダの先端と針キャップとの間隙に挿入され、この状態で本体カバーを注射可能位置にスライド移動させるだけで、針キャップを容易で確実かつ安全に取り外すことができるとしている。
【０００６】
又、実用新案登録第３２１６５６６号公報（特許文献３）には、筒体と、台座部と、穴と、切欠と、延出部と、背面側突起と、を備える注射器用補助具が開示されている。筒体は、自己注射器を装着可能であり、台座部は、筒体の下面を塞ぎ、外周面が下方に向かって拡径する。穴は、前記台座部の下面に設けられ、前記自己注射器の注射針が挿通可能である。切欠は、前記筒体の上端から側面までに設けられ、前記自己注射器を前記筒体に装着した際に当該自己注射器の薬液表示部の一部が合わさる。延出部は、前記切欠の両端壁面から前記切欠の内側に向かって延出されており、背面側突起は、前記延出部の背面から前記筒体の内部に向かって設けられ、前記自己注射器を前記筒体に装着した際に当該自己注射器の薬液表示部に引っ掛かる。これにより、自己注射器を薬液表示部まで適切に固定出来るとともに、自己注射中の薬液の減少具合を確実に視認することが可能となるとしている。
【０００７】
又、実用新案登録第３２２３４７９号公報（特許文献４）には、筒体と、台座部と、穴と、係止筒体と、係止爪と、を備える注射器用補助具が開示されている。筒体は、自己注射器の先端と、当該自己注射器の先端に設けられた針用筒体とが収納される。台座部は、筒体の下面を塞ぎ、外周面が底面に向かって拡径するように、筒体の下面の外周部に設けられる。穴は、台座部の下面に設けられる。係止筒体は、台座部の内部下面に設けられ、穴と連通する。係止爪は、係止筒体の先端から下面に向かって拡径するように、係止筒体の外側面の一部に設けられる。注射器用補助具は、自己注射器の先端と針用筒体とが筒体内に挿入され、当該針用筒体が係止筒体に装着されると、係止爪が針用筒体の内周面に当接して引っ掛かり、台座部が患者の投与部位に密着して、自己注射器が当該投与部位に向かって押されると、針用筒体が自己注射器の内部に入り、当該自己注射器の針が係止筒体の内部と穴とを通過して投与部位に向かって押し出される。これにより、ワンタッチ式の自己注射器であっても、簡単に取り付け可能であり、且つ、自己注射を適切に行うことが可能となるとしている。
【先行技術文献】
【特許文献】
【０００８】
【特許文献１】特開２０１７−８６６３０号公報
【特許文献２】実用新案登録第３１４３３０２号公報
【特許文献３】実用新案登録第３２１６５６６号公報
【特許文献４】実用新案登録第３２２３４７９号公報
【考案の概要】
【考案が解決しようとする課題】
【０００９】
しかしながら、上述した特許文献１に記載の技術では、注射針のケースを保持するため、補助具が自己注射器の薬液表示部の一部まで装着されることは無く、注射器を適切に固定し難いという課題がある。又、上述した特許文献２に記載の技術では、本体カバーが開閉式であるため、注射器が装着し難かったり、自己注射器の薬液表示部が見え難かったりするという課題もある。
【００１０】
又、上述した特許文献３に記載の技術では、構造が複雑で、且つ、切欠が自己注射器の薬液表示部に引っ掛かり難いという課題がある。又、上述した特許文献４に記載の技術では、係止筒体が必要であり、且つ、自己注射器の先端が針用筒体を備える構成で無いと、適用出来ないという課題がある。
【００１１】
そこで、本考案は、前記課題を解決するためになされたものであり、自己注射器を簡単に固定することが可能な注射器用補助具を提供することを目的とする。
【００１２】
本考案者は、鋭意研究を重ねた結果、本考案に係る新規な注射器用補助具を完成させた。即ち、本考案に係る注射器用補助具は、筒体と、台座部と、穴と、舌部と、突起部と、を備える。筒体は、自己注射器を装着可能である。台座部は、筒体の下面を塞ぎ、外周面が下方に向かって拡径する。穴は、台座部の中央に設けられ、自己注射器の針が挿通可能である。舌部は、筒体の上端から下方に向かって開口された二本のスリットにより形成されている。突起部は、舌部の上端の背面から円筒の内部に向かって設けられ、自己注射器を筒体に装着した際に当該自己注射器の薬液表示部に引っ掛かる。
【考案の効果】
【００１３】
本考案によれば、自己注射器を簡単に固定することが可能となる。
【図面の簡単な説明】
【００１４】
【図１】本考案の実施形態に係る注射器用補助具の斜視図と正面図と右側面図とである。
【図２】本考案の実施形態に係る注射器用補助具の平面図と底面図とＡ−Ａ線断面図とＢ−Ｂ線断面図とである。
【図３】本考案の実施形態に係る注射器用補助具の使用状態を示す参考斜視図である。
【図４】本考案の実施形態に係る注射器用補助具の使用状態を示す参考斜視図である。
【図５】本考案の他の実施形態に係る注射器用補助具の斜視図と正面図と右側面図とである。
【図６】本考案の他の実施形態に係る注射器用補助具の平面図と底面図とＡ−Ａ線断面図とＢ−Ｂ線断面図とである。
【図７】本考案の他の実施形態に係る注射器用補助具の使用状態を示す参考斜視図である。
【図８】本考案の他の実施形態に係る注射器用補助具の使用状態を示す参考斜視図である。
【考案を実施するための形態】
【００１５】
以下に、添付図面を参照して、本考案の実施形態について説明し、本考案の理解に供する。尚、以下の実施形態は、本考案を具体化した一例であって、本考案の技術的範囲を限定する性格のものではない。
【００１６】
本考案に係る注射器用補助具１は、図１−図２に示すように、筒体１０と、台座部１１と、穴１２と、舌部１３と、突起部１４と、を備える。尚、背面図は正面図と同一にあらわれるため省略し、左側面図は右側面図と同一にあらわれるため省略している。
【００１７】
筒体１０は、自己注射器を装着可能である。台座部１１は、筒体１０の下面を塞ぎ、外周面が下方に向かって拡径する。穴１２は、台座部１１の中央に設けられ、自己注射器の針が挿通可能である。舌部１３は、筒体１０の上端から下方に向かって開口された二本のスリット（右側のスリット１３ａ、左側のスリット１３ｂ）により形成されている。突起部１４は、舌部１３の上端の背面から円筒１０の内部に向かって設けられ、自己注射器を筒体１０に装着した際に当該自己注射器の薬液表示部に引っ掛かる。
【００１８】
これにより、自己注射器を簡単に固定することが可能となる。即ち、本考案の使用方法について説明すると、先ず、図３−図４に示すように、患者が、自己注射器２の薬液表示部２を注射器用補助具１の舌部１３に合わせた上で、自己注射器２を筒体１０に装着すると、舌部１３の上端の背面に設けられた突起部１４が適切に薬液表示部２に引っ掛かる。この引っ掛かりにより、注射器用補助具１に対する自己注射器２の位置決めが可能となり、自己注射器２を注射器用補助具１に簡単に固定することが可能となる。
【００１９】
そして、患者は、台座部１１を肌の投与部位に密着させて、自己注射器２を投与部位に向かって押し込むと、自己注射器２の針４が、投与部位に向かって押し出され、注射器用補助具１の穴１２を通じて、投与部位に突き刺さる。
【００２０】
ここで、投与部位に対する台座部１１の下面は平らに構成され、台座部１１の押し当て面積（接触面積）は、広く構成していることから、肥満体型の患者や皮膚の柔らかい患者でも自己注射器２を投与部位に対して垂直に立てて、自己注射することが出来る。又、リウマチを患い、手指の動作に制限のある患者であっても、自己注射器２に注射器用補助具１を簡単に装着して固定して、スムーズに自己注射することが可能となる。
【００２１】
ここで、筒体１０の形状に特に限定は無いが、例えば、図１−図２に示すように、自己注射器２を収納可能な円筒形状であって、断面形状が円形に構成しても良いし、自己注射器２の形状に応じて、断面形状が楕円形や四角形に構成しても構わない。又、筒体１０の側面の一部に、適用可能な自己注射器２０の表示やロゴの表示を行っても構わない。
【００２２】
又、筒体１０の長手方向のサイズに特に限定は無いが、例えば、図３−図４に示すように、自己注射器２を注射器用補助具１に装着した際に、舌部１３の上端近傍が、自己注射器２の薬液表示部３の下端近傍に重なるような長手方向のサイズであると好ましい。これにより、薬液表示部３に突起部１４を引っ掛けるとともに、薬液表示部３を視認することが可能となる。
【００２３】
又、台座部１１の正面視からの形状に特に限定は無いが、例えば、図１−図２に示すように、筒体１０の下方に対応する台座部１１の上方から外周面が緩やかに下方に向かって拡径して傘状に構成しても良いし、ドーム状であっても構わない。又、台座部１１の形状は、図１−図２に示すように、外周面が下方に向かって拡径した後に、所定量だけ縮径した構成としても良いし、吸盤形状にしても良い。
【００２４】
又、台座部１１の平面視からの形状に特に限定は無いが、例えば、図１−図２に示すように、略正方形状でも良いし、円形状でも楕円形状でも長方形状でも多角形状でも構わない。尚、台座部１１の平面視からの形状が略正方形状の場合、患者が、注射器用補助具１を装着した自己注射器２を台（机、テーブル等）に置いた際に、台座部１１の形状が台に対してストッパーとして機能し、自己注射器２の転がりを防止することが出来る。
【００２５】
又、穴１２の形状は、図１−図２に示すように、円形に構成したが、これに限定する必要は無く、楕円形、多角形等であっても良い。
【００２６】
又、舌部１３の形状に特に限定は無いが、例えば、図１−図２に示すように、自己注射器２の薬液表示部３の幅に対応した幅を有すると好ましい。これにより、自己注射器２を注射器用補助具１に装着した際に、自己注射器２が注射器用補助具１に適切に位置決めされた場合は、舌部１３が薬液表示部３に対応するため、患者は位置決めをし易くなる。
【００２７】
又、舌部１３を構成する二本のスリット１３ａ、１３ｂの長さに特に限定は無いが、例えば、図１−図２に示すように、筒体１０の上端から中央までに沿った長さであると好ましい。これにより、舌部１３に適度な弾性を付与し、舌部１３の突起部１４を薬液表示部３に引っ掛け易くすることが可能となる。
【００２８】
又、舌部１３の数に特に限定は無いが、例えば、図１−図２に示すように、筒体１０の前方と後方とのそれぞれに舌部１３を設けると、自己注射器２の両側面を両方の舌部１３の突起部１４で係止させることが可能となり、注射器用補助具１に対する自己注射器２の位置決めが容易となる。
【００２９】
又、突起部１４の形状に特に限定は無いが、例えば、図１−図２に示すように、断面形状が略台形状の略直方体に構成しても良いし、その他に、断面形状が三角形状のくさび形状や断面形状が半球形状や円筒形状のドーム形状、ピラミッド形状や多角柱形状等に構成しても構わない。
【００３０】
又、突起部１４の数は、舌部１３の数に対応し、例えば、図１−図２に示すように、突起部１４を、筒体１０の正面側と背面側とのそれぞれの舌部１３に設けることで、二つとしているが、これに限定する必要は無い。又、突起部１４の位置も、適宜設計変更可能である。
【００３１】
又、本考案に係る注射器用補助具１は、図１−図３に示すように、筒体１０の側面の下方に、所定の領域で開口されている窓部１５が設けられている。窓部１５からは、筒体１０に装着した自己注射器２の先端等を確認することが出来る。これにより、患者は、自己注射器２を注射器用補助具１に装着した際に、自己注射器２の先端が筒体１０の下面まで到達しているか否かを確認することが可能となる。ここで、自己注射器２の先端が筒体１０の下面まで到達していれば、窓部１５を介して自己注射器２の先端を視認することができるため、自己注射器２が注射器用補助具１にしっかり装着されていることになる。一方、自己注射器２が筒体１０の下面まで到達していなければ、窓部１５から自己注射器２の先端を視認することができないため、自己注射器２が注射器用補助具１にきちんと装着されていないことになる。窓部１５の数や位置に特に限定は無いが、例えば、図１−図３に示すように、筒体１０の正面側と背面側とのそれぞれに設けている。又、窓部１５の形状は、図１−図３に示すように、左右に長い略長方形状に構成したが、これに限定する必要は無く、左右に長い楕円形状や多角形状であっても良い。
【００３２】
又、本考案の他の実施形態として、例えば、図５−図６に示すように、二本のスリット（右側のスリット１３ａ、左側のスリット１３ｂ）が、筒体１０の上端から下方に向かって開口されるとともに、所定の位置で一度外側に屈曲して開口されることで、舌部１３を形成しても良い。この場合、舌部１３は、略台形状となり、自己注射器２への把持力を高めることが出来る。
【００３３】
又、舌部１３の背面から円筒１０の内部に向かって設けられる突起部１４を幅方向に広げることで、自己注射器２への把持力を更に高めることが出来る。又、円筒１０の長手方向の長さも所定の長さだけ長く設定することで、突起部１４が自己注射器２の薬液表示部３へ引っ掛かり易くなり、図７−図８に示すように、自己注射器２を注射器用補助具１に固定し易くすることが出来る。
【００３４】
尚、本考案の実施形態では、注射器用補助具１の構成に、更に、他の機能を追加しても構わない。
【産業上の利用可能性】
【００３５】
以上のように、本考案は、オートインジェクタ、ペン型注射器といった自己注射器で患者が自己注射をする場合の注射器用補助具として有用であり、自己注射器を簡単に固定することが可能な注射器用補助具として有効である。
【符号の説明】
【００３６】
１    注射器用補助具
１０  筒体
１１  台座部
１２  穴
１３  舌部
１４  突起部
１５  窓部
【図１】
0003230183.tif 000003
【図２】
0003230183.tif 000004
【図３】
0003230183.tif 000005
【図４】
0003230183.tif 000006
【図５】
0003230183.tif 000007
【図６】
0003230183.tif 000008
【図７】
0003230183.tif 000009
【図８】
0003230183.tif 000010